(57)【要約】【課題】  ジョブの出力結果を回収できる状態であることを確認しながら、ユーザの溜め置きジョブを実行させる。【解決手段】    ユーザの識別情報が付加されたジョブを受信したら、受信したジョブの種別に応じて溜め置きジョブ、または印刷実行ジョブのいずれかに振り分けて蓄積する。そして、所定の端末装置と通信してユーザの識別情報を取得している場合、当該取得されるユーザの識別情報と一致する溜め置きジョブが前記蓄積手段に蓄積されているかどうかを判断する。そして、溜め置きジョブが蓄積されていると判断した場合、溜め置きジョブとして蓄積された同一ユーザのジョブのうちから選択される１つの溜め置きジョブを印刷実行ジョブとし前記実行手段により実行させることを特徴とする。【選択図】  図５
2014136411.tif 000002
【特許請求の範囲】
【請求項１】
ユーザの識別情報が付加されたジョブを受信する受信手段と、
受信したジョブをジョブの種別に応じて溜め置きジョブ、または印刷実行ジョブのいずれかに振り分けて蓄積する蓄積手段と、
蓄積された印刷実行ジョブを実行する実行手段と、
所定の端末装置と通信してユーザの識別情報を取得する取得手段と、
取得されるユーザの識別情報と一致する溜め置きジョブが前記蓄積手段に蓄積されているかどうかを判断する判断手段と、
溜め置きジョブが蓄積されていると判断した場合、溜め置きジョブとして蓄積された同一ユーザのジョブのうちから選択される１つの溜め置きジョブを印刷実行ジョブとし前記実行手段により実行させる制御手段と、
を備えることを特徴とする画像形成装置。
【請求項２】
１つの印刷実行ジョブが終了してから、所定時間が経過する毎に、前記取得手段が当該終了した印刷実行ジョブに付加されたユーザの識別情報を前記端末装置から取得している場合、前記制御手段は、取得しているユーザの識別情報が付加された溜め置きジョブのうちから選択される次の溜め置きジョブを印刷実行ジョブとして前記実行手段により実行させることを特徴とする請求項１記載の画像形成装置。
【請求項３】
１つの印刷実行ジョブが終了してから、所定時間が経過する毎に、前記取得手段が当該終了した印刷実行ジョブに付加されたユーザの識別情報を前記端末装置から取得していないと判断した場合、前記制御手段は、前記実行手段によるジョブ処理を終了させることを特徴とする請求項１記載の画像形成装置。
【請求項４】
ユーザの識別情報が付加されたジョブを受信する受信手段と、
受信したジョブをジョブの種別に応じて溜め置きジョブ、または印刷実行ジョブのいずれかに振り分けて蓄積する蓄積手段と、
蓄積された先頭の印刷実行ジョブからジョブ処理を行う実行手段と、
所定の端末装置と通信してユーザの識別情報を取得する取得手段と、
取得されるユーザの識別情報と一致する溜め置きジョブが前記蓄積手段に蓄積されているかどうかを判断する判断手段と、
溜め置きジョブが蓄積されていると判断した場合、溜め置きジョブとして蓄積された同一ユーザのジョブを全て印刷実行ジョブに振り替えて、前記実行手段により先頭の印刷実行ジョブからジョブ処理を開始させる制御手段と、
を備えることを特徴とする画像形成装置。
【請求項５】
１つの印刷実行ジョブが終了してから、所定時間が経過する毎に、前記取得手段が当該終了した印刷実行ジョブに付加されたユーザの識別情報を前記端末装置から取得している場合、前記制御手段は、取得しているユーザの識別情報が付加された次の印刷実行ジョブを前記実行手段により実行させることを特徴とする請求項４記載の画像形成装置。
【請求項６】
１つの印刷実行ジョブが終了してから、所定時間が経過する毎に、前記取得手段が当該終了した印刷実行ジョブに付加されたユーザの識別情報を前記端末装置から取得していない場合、前記制御手段は、振り替えた印刷実行ジョブをすべて溜め置きジョブとして前記蓄積手段に戻すことを特徴とする請求項４記載の画像形成装置。
【請求項７】
ユーザの識別情報が付加されたジョブを受信する受信手段と、
受信したジョブをジョブの種別に応じて溜め置きジョブ、または印刷実行ジョブのいずれかに振り分けて蓄積する蓄積手段と、
蓄積された先頭の印刷実行ジョブからジョブ処理を行う実行手段と、
所定の端末装置と通信してユーザの識別情報を取得する取得手段と、
取得されるユーザの識別情報と一致する溜め置きジョブが前記蓄積手段に蓄積されているかどうかを判断する判断手段と、
溜め置きジョブが蓄積されていると判断した場合、溜め置きジョブとして蓄積された同一ユーザのジョブを全て連結した１つの印刷実行ジョブとして前記実行手段により実行させる制御手段と、
を備えることを特徴とする画像形成装置。
【請求項８】
画像形成装置の制御方法であって、
ユーザの識別情報が付加されたジョブを受信する受信工程と、
受信したジョブをジョブの種別に応じて溜め置きジョブ、または印刷実行ジョブのいずれかに振り分けて蓄積手段に蓄積する蓄積工程と、
蓄積された印刷実行ジョブを実行する実行工程と、
所定の端末装置と通信してユーザの識別情報を取得する取得工程と、
取得されるユーザの識別情報と一致する溜め置きジョブが前記蓄積手段に蓄積されているかどうかを判断する判断工程と、
溜め置きジョブが蓄積されていると判断した場合、溜め置きジョブとして蓄積された同一ユーザのジョブのうちから選択される１つの溜め置きジョブを印刷実行ジョブとし前記実行工程により実行させる制御工程と、
を備えることを特徴とする画像形成装置の制御方法。
【請求項９】
画像形成装置の制御方法であって、
ユーザの識別情報が付加されたジョブを受信する受信工程と、
受信したジョブをジョブの種別に応じて溜め置きジョブ、または印刷実行ジョブのいずれかに振り分けて蓄積手段に蓄積する蓄積工程と、
蓄積された先頭の印刷実行ジョブからジョブ処理を行う実行工程と、
所定の端末装置と通信してユーザの識別情報を取得する取得工程と、
取得されるユーザの識別情報と一致する溜め置きジョブが前記蓄積手段に蓄積されているかどうかを判断する判断工程と、
溜め置きジョブが蓄積されていると判断した場合、溜め置きジョブとして蓄積された同一ユーザのジョブを全て印刷実行ジョブに振り替えて、前記実行工程により先頭の印刷実行ジョブからジョブ処理を開始させる制御工程と、
を備えることを特徴とする画像形成装置の制御方法。
【請求項１０】
画像形成装置の制御方法であって、
ユーザの識別情報が付加されたジョブを受信する受信工程と、
受信したジョブをジョブの種別に応じて溜め置きジョブ、または印刷実行ジョブのいずれかに振り分けて蓄積手段に蓄積する蓄積工程と、
蓄積された先頭の印刷実行ジョブからジョブ処理を行う実行工程と、
所定の端末装置と通信してユーザの識別情報を取得する取得工程と、
取得されるユーザの識別情報と一致する溜め置きジョブが前記蓄積手段に蓄積されているかどうかを判断する判断工程と、
溜め置きジョブが蓄積されていると判断した場合、溜め置きジョブとして蓄積された同一ユーザのジョブを全て連結した１つの印刷実行ジョブとして前記実行工程により実行させる制御工程と、
を備えることを特徴とする画像形成装置の制御方法。
【請求項１１】
請求項８乃至１０のいずれか１項に記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
従来、印刷物放置の防止等セキュリティの観点から、受信した印刷ジョブを一旦画像形成装置内部に溜め置き、該画像形成装置が有する操作部を介してユーザによる印刷指示がなされた場合に該印刷ジョブの出力を行う溜め置き印刷機能があった。
【０００３】
また、近年、操作部を介したユーザの印刷指示操作を必要とせず、溜め置き印刷ジョブの出力を行う画像形成装置が考案されている。例えば、無線通信等を用いてユーザが携帯する端末装置の接近を検知すると、該端末装置から発信された識別情報を受信し、一致する識別情報を含む溜め置き印刷ジョブの自動出力を行う画像形成装置がある（特許文献１参照）。
【先行技術文献】
【特許文献】
【０００４】
【特許文献１】特開２００５−２９２８７７号公報
【発明の概要】
【発明が解決しようとする課題】
【０００５】
しかしながら、上記従来技術では、１人のユーザが複数の溜め置き印刷ジョブを投入するケースにおいて問題があった。上記従来技術では、ユーザが携帯する端末装置の接近を検知すると、画像形成装置に溜め置かれていた当該ユーザの印刷ジョブ全てに対して溜め置きを解除して順次出力する。そのため、例えば、投入した複数の印刷ジョブの内、最初のジョブの出力が終わった時点で該ジョブの出力結果だけを回収してユーザが画像形成装置の前から立ち去った場合、残りの印刷ジョブの出力結果が放置されてしまうという問題があった。
【０００６】
本発明は、上記の課題を解決するためになされたもので、本発明の目的は、ジョブの出力結果を回収できる状態であることを確認しながら、ユーザの溜め置きジョブを実行させることができる仕組みを提供することである。
【課題を解決するための手段】
【０００７】
上記目的を達成する本発明の画像形成装置は以下に示す構成を備える。
ユーザの識別情報が付加されたジョブを受信する受信手段と、受信したジョブをジョブの種別に応じて溜め置きジョブ、または印刷実行ジョブのいずれかに振り分けて蓄積する蓄積手段と、蓄積された印刷実行ジョブを実行する実行手段と、所定の端末装置と通信してユーザの識別情報を取得する取得手段と、取得されるユーザの識別情報と一致する溜め置きジョブが前記蓄積手段に蓄積されているかどうかを判断する判断手段と、溜め置きジョブが蓄積されていると判断した場合、溜め置きジョブとして蓄積された同一ユーザのジョブのうちから選択される１つの溜め置きジョブを印刷実行ジョブとし前記実行手段により実行させる制御手段と、を備えることを特徴とする。
【発明の効果】
【０００８】
本発明によれば、ジョブの出力結果を回収できる状態であることを確認しながら、ユーザの溜め置きジョブを実行させることができる。
また、投入したジョブ全ての出力を待たずにユーザが画像形成装置の前から立ち去った場合であっても、不用意に出力結果が放置されてしまうのを防止しセキュリティを向上させることが可能となる。
【図面の簡単な説明】
【０００９】
【図１】画像形成装置を含むシステム構成図である。
【図２】図１に示した画像形成装置のハードウェア構成を示すブロック図である。
【図３】画像形成装置のソフトウエア構成を示す図である。
【図４】画像形成装置の制御方法を説明するフローチャートである。
【図５】画像形成装置の制御方法を説明するフローチャートである。
【図６】本実施形態を示す画像形成装置の第１のジョブ処理の概念を示す図である。
【図７】画像形成装置の制御方法を説明するフローチャートである。
【図８Ａ】本実施形態を示す画像形成装置の第２のジョブ処理の概念を示す図である。
【図８Ｂ】本実施形態を示す画像形成装置の第２のジョブ処理の概念を示す図である。
【図９】画像形成装置の制御方法を説明するフローチャートである。
【図１０】本実施形態を示す画像形成装置の第３のジョブ処理の概念を示す図である。
【発明を実施するための形態】
【００１０】
次に本発明を実施するための最良の形態について図面を参照して説明する。
＜システム構成の説明＞
〔第１実施形態〕
【００１１】
図１は、本発明の実施形態に係る画像形成装置を含むシステム構成図である。同図において、００１はＭＦＰ（Ｍｕｌｔｉ Ｆｕｎｃｔｉｏｎ Ｐｅｒｉｐｈｅｒａｌ）であり、少なくともプリンタ機能を備えている。ＭＦＰ１は、イーサネット（登録商標）等から構成されるＬＡＮ３と接続されており、ＬＡＮ３を介してホストコンピュータ２から送信される印刷ジョブを受信する。また、ＭＦＰ１、および、ホストコンピュータ２は、ＲＦＩＤ（Ｒａｄｉｏ  Ｆｒｅｑｕｅｎｃｙ  ＩＤｅｎｔｉｆｉｃａｔｉｏｎ）を用いた近距離無線通信により近隣装置と通信が可能である。
【００１２】
４は無線ＩＣタグ機能を備えた携帯端末装置であり、ＭＦＰ１、および、ホストコンピュータ２とは、それぞれの装置の近隣に位置している場合にＲＦＩＤを用いた無線通信が可能である。ここで、携帯端末装置４には所有者を識別するためのユーザ識別情報が記憶されており、本システムを利用する各ユーザは、各々携帯端末装置４を携帯しているものとする。
【００１３】
ユーザがホストコンピュータ２から印刷ジョブを送信する場合、ホストコンピュータ２は、無線通信により携帯端末装置４からユーザ識別情報を取得し、印刷ジョブを構成するデータに該ユーザ識別情報を設定してＭＦＰ１へ送信する。ＭＦＰ１は、印刷ジョブを受信すると直ちには該ジョブの出力を開始せず一旦装置内部の記憶装置、例えばハードディスクに溜め置く。
【００１４】
ＭＦＰ１は、携帯端末装置４が所定の距離範囲内（例えば、半径５ｍ以内）に位置する場合に無線通信が可能であるが、携帯端末装置４が所定の距離範囲内に位置しない場合には無線通信が不可能である。従って、ユーザがＭＦＰ１の近傍に接近している場合にだけ携帯端末装置４との通信が可能となる。携帯端末装置４を携帯したユーザが接近し無線通信が可能になると、ＭＦＰ１は、携帯端末装置４からユーザ識別情報を取得して装置内部に溜め置かれた印刷ジョブのユーザ識別情報との比較を行い、一致していれば該ジョブの出力を開始する。
＜画像形成装置のハードウェア構成＞
図２は、図１に示した画像形成装置のハードウェア構成を示すブロック図である。
【００１５】
図２において、１００はメインコントローラで、ＭＦＰ１の情報処理部を司る。１０１はサブコントローラで、画像形成装置の画像処理部を司る。メインコントローラ１００とサブコントローラ１０１はバスブリッジ１１６を介してバス間で接続されている。
【００１６】
まずメインコントローラ１００の構成要素を説明する。
【００１７】
メインコントローラ１００において、ＣＰＵ１０８はシステムバス１１５に接続される各デバイスを総括的に制御すると共に、ＦＬＡＳＨＲＯＭ１１０、或いはＨＤＤ１１１に記憶された制御プログラム（ファームウェア）を実行する。ＦＬＡＳＨＲＯＭ１１０、或いはＨＤＤ１１１は、プログラムのみでなく、画像データや各機能の動作仕様に係る機器設定、各種履歴データの記憶領域としても使われる。
【００１８】
ＲＡＭ１０９は、ＣＰＵ１０８の主メモリ、ワークエリア等として機能する。１１２は操作部Ｉ／Ｆで、画像形成装置に備えられたＬＣＤパネル１０４に各機能に係る操作画面や装置状態画面などを描画する。また、操作部Ｉ／Ｆ１１２には、操作ボタンおよび／或いはタッチパネル（操作ボタンタッチパネル）１０３も接続されている。
【００１９】
操作ボタンタッチパネル１０３は、ＬＣＤパネル１０４と一体になっており、オペレータの指示入力を制御する。１１３はＬＡＮ  Ｉ／Ｆ（ＮＩＣ）で、他のネットワーク機器や図１記載のホストコンピュータ２とＬＡＮ１０２を介して双方向にデータをやりとりする。
【００２０】
１１４は外部シリアルインタフェース（ＵＳＢ）で、メモリメディアリーダなどの外部装置を接続し、双方向にデータをやりとりする。１２９は無線Ｉ／Ｆであり、アンテナ部１３０を介して所定の距離範囲内の近隣装置とＲＦＩＤを用いた無線通信を行う。本発明の実施形態においては、図１記載の携帯端末装置４と無線通信を行う。タイマ１３１は、時刻を計時する計時機能を備えるものであり、任意の時刻を基準とした経過時間を計測することができる。
【００２１】
次にサブコントローラ１０１の構成要素を説明する。
【００２２】
プリンタ１０６は、例えば電子写真方式あるいはインクジェット方式などで実現される印刷メディアへの印字部である。スキャナ１０５は、原稿メディアに印字された画像を読み込むための画像読み取り部である。多くの場合、スキャナ１０５にはオプションとしてオートドキュメントフィーダ（不図示）が装着されており、複数枚の原稿を自動的に読み込むことができる。これらはデバイスＩ／Ｆ１２０を通して制御信号をＣＰＵ１１７との間で授受する。ＣＰＵ１１７は、システムバス１２７に接続される各デバイスを総括的に制御する。スキャナ１０５から入力される画像は、スキャナ画像処理部１２１を介してＲＡＭ１１８に読み取り画像として入力される。１２３はメモリ画像処理部（ＩＭＡＧＥＣ）で、画像形成装置のＲＡＭ１１８上の読み取り画像に所定の画像処理を施してＲＡＭ１１８に出力する。画像処理には、回転・変倍・色空間変換・グレースケール変換・合成・符号化・復号化などの処理が含まれる。
【００２３】
ＣＰＵ１１７は、ＲＡＭ１１８上の画像を、メモリ画像処理部１２３で画像処理後に、バスブリッジ１１６を介して、メインコントローラ１００上の記憶装置としてのＦＬＡＳＨＲＯＭ１１０およびＨＤＤ１１１に保存する。
【００２４】
また、ＣＰＵ１１７は、バスブリッジ１１６を介して、メインコントローラ１００上の記憶装置としてのＦＬＡＳＨＲＯＭ１１０およびＨＤＤ１１１に保存されている画像をＲＡＭ１１８に読み出し、プリンタ画像処理部１２２を経由してプリンタ１０６に出力する。
【００２５】
スキャナ画像処理部１２１およびプリンタ画像処理部１２２の各画像処理部で行う画像処理には、色空間変換、移動、色調整、濃度制御、遅延量制御が含まれる。ラスターイメージプロセッサ（ＲＩＰ）１１９は、ＲＡＭ１１８上のＰＤＬコードをビットマップイメージに展開し、ＲＡＭ１１８に出力する。
ＳＲＡＭ１２４は、ＣＰＵ１１７との間で不揮発データを高速に入出力する。ＭＯＤＥＭ１２５は、公衆回線１０７に接続し、ファクス画像入出力に伴う変復調を行う。
【００２６】
尚、ＣＰＵ１０８およびＣＰＵ１１７により実行される制御プログラム（ファームウェア）は、少なくとも２つ以上のモジュールから構成され、ファームウェアの更新は、それぞれのモジュールごとに行うことが可能である。
＜画像形成装置のソフトウエア構成＞
【００２７】
図３は、図１に示した画像形成装置のソフトウエア構成を示す図である。尚、ＭＦＰ１のファームウェアは図３に記載した以外のソフトブロックからも構成されるが、本発明の構成と直接関係しないものに関しては図示していない。
【００２８】
図３において、ＬＡＮ制御モジュール３０１は、ネットワーク通信を実現するモジュールであり、ＬＡＮ  Ｉ／Ｆ１１３を制御すると共に、各種通信プロトコルに応じたソフト的な通信制御によりデータの入出力を行う。本発明の実施形態においては、ホストコンピュータ２との通信制御を司り、印刷ジョブの受信処理を行う。
【００２９】
ジョブ制御モジュール３０２は、ジョブ実行に伴う一連の処理の流れを制御するモジュールであり、本発明の実施形態においては、印刷ジョブの受信から印刷出力までの一連の処理の流れを制御する。
【００３０】
ＰＤＬ／ＲＩＰモジュール３０３は、印刷ジョブのＰＤＬコードを解釈してページ単位でラスターイメージへの展開処理を行うモジュールである。文書管理モジュール３０４は、ＭＦＰ１が処理するドキュメントデータの管理を行うモジュールであり、本発明の実施形態においては、ＰＤＬ／ＲＩＰモジュール３０３により生成された各ページデータから構成されるドキュメントデータの登録および管理を行う。尚、ドキュメントデータの実体は図２に示したＦＬＡＳＨＲＯＭ１１０、或いはＨＤＤ１１１に保存されるものとする。印刷制御モジュール３０５は、ジョブ制御モジュール３０２の指示により文書管理モジュール３０４を介してドキュメントデータを読み出し、プリンタ１０６に各ページデータの印刷実行を指示するモジュールである。
【００３１】
無線制御モジュール３０６は、無線Ｉ／Ｆ１２９を制御して無線通信を実現するモジュールである。本発明の実施形態においては、携帯端末装置４の接近の有無を検知し、接近を検知した場合には携帯端末装置４との通信制御を司る。
【００３２】
認証制御モジュール３０７は、ＭＦＰ１に係るアクセス制御を司るモジュールである。本発明の実施形態においては、無線制御モジュール３０６を介してＭＦＰ１に接近した携帯端末装置４からユーザ識別情報等を受信してジョブ制御モジュール３０２へ通知する。また、ジョブ制御モジュール３０２からの問い合わせに応じて現在のユーザ検知状況を返却する。機器制御モジュール３０８は、ＭＦＰ１の状態監視や各種イベントに応じた処理を制御するモジュールである。タイマー制御モジュール３０９は、各種タイマ計測を行うモジュールである。
【００３３】
図４，図５は、本実施形態を示す画像形成装置の制御方法を説明するフローチャートである。なお、図４は、画像形成装置が受信する印刷ジョブデータの種別を判断して、キューイング先を判断して留め置きジョブキューまたは印刷実行ジョブキューへキューイングする制御例である。また、図５は、留め置きジョブキューにキューイングされたジョブの出力制御例である。なお、図４，図５における各ステップは、ＭＦＰ１のメインコントローラ１００のＦＬＡＳＨＲＯＭ１１０、或いはＨＤＤ１１１に格納された制御プログラムに従ってＣＰＵ１０８により実行される。また、後述の各フローチャートに示す処理も同様にして、適時ＣＰＵ１０８によって実行されるものとする。以下、本発明の実施形態に係る画像形成装置の印刷ジョブ処理について説明する。
【００３４】
ホストコンピュータ２から送信された印刷ジョブを受信すると（Ｓ４０１）、ＣＰＵ１０８は、該印刷ジョブが溜め置き印刷ジョブであるか否かを判断する（Ｓ４０２）。該印刷ジョブが溜め置き印刷ジョブであるとＣＰＵ１０８が判断した場合、ＣＰＵ１０８は、Ｓ４０３へ進み、該印刷ジョブを溜め置きジョブキューへ繋いで保存して、本処理を終了する。
【００３５】
一方、Ｓ４０２で該印刷ジョブが溜め置き印刷ジョブでは無いとＣＰＵ１０８が判断した場合、ＣＰＵ１０８は、Ｓ４０４へ進み、該印刷ジョブを印刷実行ジョブキューへ繋いで印刷出力を実行して（Ｓ４０５）、本処理を終了する。
尚、前記印刷実行ジョブキューに複数の印刷ジョブがキューイングされている場合、ＣＰＵ１０８は、該キューの先頭のジョブから順次印刷出力を実行するものとする。
【００３６】
以下、本発明の実施形態に係る画像形成装置の近隣携帯端末装置検出を契機にした溜め置き印刷ジョブの出力処理について図５を用いて説明する。
まず、Ｓ５０１で、ＣＰＵ１０８は、無線通信可能な携帯端末装置４が存在するか否か、即ち、印刷ジョブを送信したユーザがＭＦＰ１から所定の距離範囲内に接近しているか否かを判断する。ここで、ユーザの接近を検知した場合、ＣＰＵ１０８は、無線通信により携帯端末装置４からユーザ識別情報を取得する（Ｓ５０２）。
【００３７】
次に、ＣＰＵ１０８は、取得したユーザ識別情報に一致するユーザ識別情報が設定された溜め置き印刷ジョブがあるか否かを判断する（Ｓ５０３）。ここで、ユーザ識別情報が一致する溜め置き印刷ジョブがあるとＣＰＵ１０８が判断した場合、ＣＰＵ１０８は、Ｓ５０４へ進み、そうでないと判断した場合は、本処理を終了する。
【００３８】
Ｓ５０４では、ＣＰＵ１０８は、ユーザ識別情報が一致する溜め置き印刷ジョブの内、先頭のジョブに対して溜め置き状態を解除し、当該ジョブの印刷出力を実行する（Ｓ５０５）。Ｓ５０５における印刷出力終了後、ＣＰＵ１０８は、当該ユーザの溜め置き印刷ジョブの出力が全て完了したか否かを判断する（Ｓ５０６）。ここで、当該ユーザの溜め置き印刷ジョブの出力が全て完了しているとＣＰＵ１０８が判断した場合、ＣＰＵ１０８は、一連の処理を終了し、そうでないとＣＰＵ１０８が判断した場合は、Ｓ５０７へ進む。
【００３９】
Ｓ５０７では、ＣＰＵ１０８は、所定の待ち時間（例えば、５秒）が経過するのを待ち、所定の待ち時間（所定時間）経過後に、Ｓ５０８で当該ユーザの接近を再検出可能か否かを判断する。ここで、当該ユーザの接近が再検出可能と判断された場合、ＣＰＵ１０８は、Ｓ５０４へ戻り処理を継続する。
図６は、本実施形態を示す画像形成装置の第1のジョブ処理の概念を示す図である。本例は、溜め置きジョブキューと、印刷実行ジョブキューに振り分けて受信したジョブを蓄積する例を示す。なお、受信するジョブには、上述した携帯端末装置４から取得するユーザの識別情報と同一の識別情報が付加されている。
【００４０】
図６の（ａ）は、ＭＦＰ１が複数の溜め置き印刷ジョブを受信した状態を示す概念例である。各溜め置き印刷ジョブは溜め置きジョブキューに繋がれた状態で保持されており、ＭＦＰ１がジョブを投入したユーザの接近を検知するまで出力は行われない。
【００４１】
図６の（ｂ）は、図６の（ａ）の状態でＭＦＰ１にユーザ（Ａ）が接近した状態を示す概念例である。ＭＦＰ１のＣＰＵ１０８は、ユーザ（Ａ）の接近を検知すると、ユーザ（Ａ）が投入した先頭のジョブ（ジョブＪ１（選択される溜め置きジョブ）の溜め置き状態を解除し、印刷実行ジョブキューに繋いで出力を開始する。ＭＦＰ１のＣＰＵ１０８は、前記ジョブＪ１の出力が終了するまでユーザ（Ａ）の他の溜め置き印刷ジョブの溜め置き状態は解除しない。なお、本実施形態では、溜め置きされるジョブのうち、同一識別情報であれば、先に蓄積された溜め置きジョブが印刷実行ジョブとして選択されて、印刷実行ジョブキューに繋ぎ替えられる。
【００４２】
図６の（ｃ）は、ジョブＪ１の出力終了後、所定の待ち時間の経過後に、ＭＦＰ１のＣＰＵ１０８が先に終了した印刷実行ジョブと同一ユーザ、ここでは、ユーザ（Ａ）の接近の再検知に成功した状態を示す概念例である。
ＭＦＰ１は、溜め置きジョブキューに繋がったユーザ（Ａ）の次ジョブ（ジョブＪ３）の溜め置き状態を解除し、印刷ジョブキューに繋いで出力を開始する。以降、ＭＦＰ１のＣＰＵ１０８は、ジョブの出力が終了する毎に所定の待ち時間を挟んでユーザ（Ａ）の接近の再検知が可能か否かを確認し、１ジョブずつ出力を実行する。
【００４３】
以上、説明したように本実施形態によれば、画像形成装置がユーザの接近を検知した場合に、当該ユーザの印刷ジョブの内先頭のジョブに対してのみ溜め置きを解除して出力を開始する。そして、当該ユーザの印刷ジョブが複数存在する場合は、先行ジョブの出力終了後にユーザの接近を再確認して、再確認が成功した場合に、次ジョブの出力を開始する。
このように制御することにより、投入したジョブ全ての出力を待たずにユーザが画像形成装置の前から立ち去った場合であっても、不用意に出力結果が放置されてしまうのを防止することが可能となる。
〔第２実施形態〕
【００４４】
次に、本発明の第２実施形態について説明する。
第１実施形態では、ユーザの接近の検知により溜め置き印刷ジョブの溜め置き解除を１ジョブずつ行っている。本実施形態では、ユーザの接近の検知により当該ユーザの溜め置き印刷ジョブ全てに対して溜め置き状態を解除して出力を開始し、ユーザの接近の再検知に失敗した時点で未出力のジョブを再度溜め置きジョブとして保持する例を説明する。
【００４５】
図７は、本実施形態を示す画像形成装置の制御方法を説明するフローチャートである。本例は、画像形成装置の近隣携帯端末装置検出を契機にした溜め置き印刷ジョブの出力処理例である。なお、図７における各ステップは、ＭＦＰ１のメインコントローラ１００のＦＬＡＳＨＲＯＭ１１０、或いはＨＤＤ１１１に格納された制御プログラムに従ってＣＰＵ１０８により実行される。
まず、Ｓ７０１で、ＣＰＵ１０８は、無線通信可能な携帯端末装置４が存在するか否か、即ち、印刷ジョブを送信したユーザがＭＦＰ１から所定の距離範囲内に接近していることを検出しているか否かを判断する。ここで、ユーザの接近を検出しているとＣＰＵ１０８が判断した場合、ＣＰＵ１０８は、無線通信により携帯端末装置４からユーザ識別情報を取得する（Ｓ７０２）。
【００４６】
次に、ＣＰＵ１０８は、取得したユーザ識別情報に一致するユーザ識別情報が設定された溜め置き印刷ジョブがあるか否かを判断する（Ｓ７０３）。ここで、ユーザ識別情報が一致する溜め置き印刷ジョブがあると判断された場合、ＣＰＵ１０８は、Ｓ７０４へ進み、そうでない場合は処理を終了する。
【００４７】
Ｓ７０４で、ＣＰＵ１０８は、ユーザ識別情報が一致する溜め置き印刷ジョブ全てに対して溜め置き状態を解除し、溜め置き状態を解除したジョブの内、先頭ジョブの印刷出力を実行する（Ｓ７０５）。Ｓ７０５における印刷出力終了後、ＣＰＵ１０８は、当該ユーザの印刷ジョブの出力が全て完了しているか否かを判断する（Ｓ７０６）。
【００４８】
ここで、当該ユーザの印刷ジョブの出力が全て完了しているとＣＰＵ１０８が判断した場合、ＣＰＵ１０８は、一連の処理を終了し、当該ユーザの印刷ジョブの出力が全て完了していないとＣＰＵ１０８が判断した場合は、Ｓ７０７へ進む。
Ｓ７０７では、ＣＰＵ１０８は、所定の待ち時間（例えば、５秒）が経過するのを待ち、所定の待ち時間経過後に、Ｓ７０８において、ＣＰＵ１０８は、当該ユーザの接近を再検出可能か否かを判断する。ここで、当該ユーザの接近が再検出可能であるとＣＰＵ１０８が判断した場合、ＣＰＵ１０８は、Ｓ７０５へ戻り、本処理を継続し、そうでないと判断した場合は、Ｓ７０９へ進む。Ｓ７０９では、ＣＰＵ１０８は、前記溜め置き状態を解除した当該ユーザの印刷ジョブの内、未出力のジョブ全てを溜め置き状態に戻して、一連の処理を終了する。
【００４９】
図８Ａ、図８Ｂは、本実施形態を示す画像形成装置の第２のジョブ処理の概念を示す図である。なお、受信するジョブには、上述した携帯端末装置４から取得するユーザの識別情報と同一の識別情報が付加されている。
図８Ａの（ａ）は、ＭＦＰ１が複数の溜め置き印刷ジョブを受信した状態を示す概念例である。各溜め置き印刷ジョブは溜め置きジョブキューに繋がれた状態で保持されており、ＭＦＰ１がジョブを投入したユーザの接近を検知するまで出力は行われない。
【００５０】
図８Ａの（ｂ）は、図８の（ａ）の状態でＭＦＰ１にユーザ（Ａ）が接近した状態を示す概念図である。ＭＦＰ１のＣＰＵ１０８は、ユーザ（Ａ）の接近を検知すると、ユーザ（Ａ）が投入した印刷ジョブ全て（ジョブＪ１、ジョブＪ３、ジョブＪ４）の溜め置き状態を解除し、印刷実行ジョブキューに繋いで、先頭ジョブ（ジョブＪ１）の印刷出力を実行する。
【００５１】
図８Ｂの（ｃ）は、ジョブＪ１の出力終了後、所定の待ち時間の経過後にＭＦＰ１のＣＰＵ１０８がユーザ（Ａ）の接近の再検知に成功した状態を示す概念例である。ＭＦＰ１は、印刷実行ジョブキューに繋がったユーザ（Ａ）の次ジョブ（ジョブＪ３）の出力を実行する。以降、ＭＦＰ１は、ジョブの出力が終了する毎に所定の待ち時間を挟んでユーザ（Ａ）の接近の再検知が可能か否かを確認し、１ジョブずつ出力を実行する。
【００５２】
図８Ｂの（ｄ）は、図８Ｂの（ｃ）で前記ジョブＪ３の出力終了後、所定の待ち時間の経過後に、ＭＦＰ１のＣＰＵ１０８がユーザ（Ａ）の接近の再検知に失敗した状態を示す概念例である。ＭＦＰ１は、ユーザ（Ａ）の未出力のジョブ全てを溜め置き状態に戻して一連の処理を終了する。
【００５３】
以上、説明したように本実施形態によれば、画像形成装置がユーザの接近を検知した場合に、当該ユーザの印刷ジョブ全てに対して溜め置きを解除して出力を開始する。当該ユーザの印刷ジョブが複数存在する場合は、先行ジョブの出力終了後にユーザの接近を再確認して、再確認が成功した場合に次ジョブの出力を開始する。そして、再確認に失敗した場合には未出力のジョブ全てを溜め置き状態に戻して保存する。
このように制御することにより、第１実施形態と同様に、投入したジョブ全ての出力を待たずにユーザが画像形成装置の前から立ち去った場合であっても、不用意に出力結果が放置されてしまうのを防止することが可能となる。
〔第３実施形態〕
【００５４】
次に、本発明の第３実施形態について説明する。
第１、第２実施形態では、ジョブ毎にユーザの接近の再検知を行い、再検知に成功した場合に限り次ジョブの出力を行うことで、全ジョブの出力を待たずにユーザが立ち去った場合であっても不用意に出力結果が放置されてしまうのを防止している。
【００５５】
出力結果の放置の防止を目的とした本実施形態では、ユーザの接近の検知により、当該ユーザの溜め置き印刷ジョブ全てを連結し連続して出力する例を説明する。
この場合、出力処理の継続を認識し易くなり、ユーザは一連の出力終了後に出力結果を回収するようになるため、出力結果の放置、および、回収漏れを防止することができる。
【００５６】
図９は、本実施形態を示す画像形成装置の制御方法を説明するフローチャートである。
本例は、画像形成装置の近隣携帯端末装置検出を契機にした溜め置き印刷ジョブの出力処理例である。なお、図９における各ステップは、ＭＦＰ１のメインコントローラ１００のＦＬＡＳＨＲＯＭ１１０、或いはＨＤＤ１１１に格納された制御プログラムに従ってＣＰＵ１０８により実行される。
まず、Ｓ９０１で、ＣＰＵ１０８は、無線通信可能な携帯端末装置４が存在するか否か、即ち、印刷ジョブを送信したユーザがＭＦＰ１から所定の距離範囲内に接近しているか否かを判断する。ここで、ユーザの接近を検出しているとＣＰＵ１０８が判断した場合、ＣＰＵ１０８は、無線通信により携帯端末装置４からユーザ識別情報を取得する（Ｓ９０２）。
【００５７】
次に、ＣＰＵ１０８は、取得したユーザ識別情報に一致するユーザ識別情報が設定された溜め置き印刷ジョブがあるか否かを判断する（Ｓ９０３）。ここで、ユーザ識別情報が一致する溜め置き印刷ジョブがあるとＣＰＵ１０８が判断した場合、ＣＰＵ１０８は、Ｓ９０４へ進み、そうでない場合は、本処理を終了する。
Ｓ９０４では、ＣＰＵ１０８は、ユーザ識別情報が一致する溜め置き印刷ジョブ全てに対して溜め置き状態を解除し、Ｓ９０５で、ＣＰＵ１０８は、該溜め置き状態解除したジョブを連結する。次に、Ｓ９０６において、ＣＰＵ１０８は、Ｓ９０５で連結した印刷ジョブの出力を実行して、本処理を終了する。
【００５８】
図１０は、本実施形態を示す画像形成装置の第３のジョブ処理の概念を示す図である。なお、受信するジョブには、上述した携帯端末装置４から取得するユーザの識別情報と同一の識別情報が付加されている。
図１０の（ａ）は、ＭＦＰ１が複数の溜め置き印刷ジョブを受信した状態を示す概念例である。各溜め置き印刷ジョブは溜め置きジョブキューに繋がれた状態で保持されており、ＭＦＰ１がジョブを投入したユーザの接近を検知するまで出力は行われない。
【００５９】
図１０の（ｂ）は、図１０の（ａ）の状態でＭＦＰ１にユーザ（Ａ）が接近した状態を示す概念例である。ＭＦＰ１は、ユーザ（Ａ）の接近を検知すると、ユーザ（Ａ）が投入した複数のジョブ全て（ジョブＪ１、ジョブＪ３、ジョブＪ４）に対して溜め置き状態を解除し、該溜め置き状態を解除したジョブ全てを連結して印刷実行ジョブキューに繋いで出力を実行する。
【００６０】
以上、説明したように本実施形態によれば、画像形成装置がユーザの接近を検知した場合に、当該ユーザの溜め置き印刷ジョブ全てに対して溜め置きを解除し、かつ、該溜め置き解除したジョブを連結して出力する。
このように制御することにより、ユーザは一連の出力終了後に出力結果を回収するようになり、出力結果の放置、および、回収漏れを防止することが可能となる。
【００６１】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００６２】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００６３】
１  ＭＦＰ
２  ホストコンピュータ
３  ＬＡＮ
４  携帯端末装置
【図１】
2014136411.tif 000003
【図２】
2014136411.tif 000004
【図３】
2014136411.tif 000005
【図４】
2014136411.tif 000006
【図５】
2014136411.tif 000007
【図６】
2014136411.tif 000008
【図７】
2014136411.tif 000009
【図８Ａ】
2014136411.tif 000010
【図８Ｂ】
2014136411.tif 000011
【図９】
2014136411.tif 000012
【図１０】
2014136411.tif 000013